(57)【要約】【課題】家庭内で使用するガス器具の使用情報より生活情報信号の生成を可能としたガス器具監視装置を提供する。【解決手段】ガス流量を計測する流量計測手段１２と、ガス流路を遮断する遮断弁１５と、前記流量計測手段１２で計測される流量データを用いて各種機能を実行する制御手段２１を備え、前記制御手段２１で実行される機能の１つである積算データの自動検針機能を、ガスメータに内蔵した無線通信手段によってハンディターミナル３０との通信により実行するようにした装置であって、無線通信手段２５には特定の携帯端末装置３４との間で通信が可能な機能を有し、無線通信手段２５からの送信される確認信号と携帯端末装置３４から返信される応答信号により通信が成立するか否かによって、ガスの供給動作を決定するようにした。【選択図】図１
2008027111.tif 000002
【特許請求の範囲】
【請求項１】
ガス流量を計測する流量計測手段と、ガス流路を遮断する遮断弁と、前記流量計測手段で計測される流量データを用いて各種機能を実行する制御手段を備え、前記制御手段で実行される機能の１つである積算データの自動検針機能を、ガスメータに内蔵した無線通信手段によってハンディターミナルとの通信により実行するようにした装置であって、無線通信手段には特定の携帯端末装置との間で通信が可能な機能を有し、無線通信手段からの送信される確認信号と携帯端末装置から返信される応答信号により通信が成立するか否かによって、ガスの供給動作を決定するようにしたガス器具監視装置。
【請求項２】
ガス流量を計測する流量計測手段と、ガス流路を遮断する遮断弁と、ガス器具の種類または使用形態を判別するための比較基準データとなる流量パターンを記憶する登録記憶手段と、監視時間帯を任意に設定する時間帯設定手段と、監視時間帯別に使用された器具情報に基づいて生活情報信号を生成するための条件を設定する時間帯別器具情報設定手段と、前記登録記憶手段の流量パターンと前記流量計測手段で計測されるガス流量値とを比較し使用ガス器具または使用形態を判断する器具判定手段と、監視時間帯別に使用状況を監視する器具別監視手段と、各種データの送受信を行う無線通信手段を備え、ガスメータを経由した後の配管に接続される複数のガス器具の種類または使用状況を個別に監視するとともに、無線通信手段により携帯端末装置との間で送受信が可能な装置であって、前記器具別監視手段は、流量計測手段からの信号で器具の使用が開始されたことを検知したとき、無線通信手段に対して携帯端末装置との通信開始を指示するとともに、携帯端末装置からの応答信号の有無を判定し、応答信号ありの場合、ガスの供給を継続して器具使用状況を監視し、応答信号なしの場合、所定の警告動作により器具の使用を制限するようにしたガス器具監視装置。
【請求項３】
制御手段は、流量計測手段で計測される流量データに基づいて使用者の安否情報となる生活情報信号を生成する機能を有し、生活情報信号が生成されたとき無線通信手段からの報知信号を携帯端末装置により予め登録してあるアドレスに対して報知するようにした請求項１記載のガス器具監視装置。
【請求項４】
器具別監視手段は、時間帯別の器具使用データより時間帯別器具情報設定手段で設定された複数の判定条件に基づいて生活情報信号が生成されたとき、無線通信手段に対して報知信号の送信を指示し、無線通信手段は、携帯端末装置に対して予め登録しているアドレスに報知信号の送信を指示するようにした請求項２記載のガス器具監視装置。
【請求項５】
無線通信手段と携帯端末装置にはそれぞれ特有の認証コードを有するとともに、通信相手の認証コードを照合する認証手段を備え、照合結果に応じて遮断弁の動作を制御する請求項１または２記載のガス器具監視装置。
【請求項６】
無線通信手段と携帯端末装置の認証コードの照合結果が一致した場合、遮断弁の閉止状態を自動的に復帰可能とした請求項１または２記載のガス器具監視装置。
【請求項７】
時間帯別器具情報設定手段で設定される複数の判定条件は、予め定めた時間帯のうち少なくとも２回以上の複数の時間帯別器具使用情報に基づいて生活情報信号を生成するようにした請求項２記載のガス器具監視装置。
【請求項８】
時間帯別器具情報設定手段で設定される複数の判定条件は、器具判定手段で求められる器具情報のうち少なくとも２つ以上の器具情報に基づいて生活情報信号を生成するようにした請求項２記載のガス器具監視装置。
【請求項９】
時間帯別器具情報設定手段で設定される複数の判定条件は、器具判定手段で求められる器具情報のうち予め定めた器具情報が複数回発生するか否かによって生活情報信号を生成するようにした請求項２または８記載のガス器具監視装置。
【請求項１０】
時間帯別器具情報設定手段で設定される複数の判定手段は、予め定めた時間帯において予め定めた器具情報が発生するか否かによって生活情報信号を生成するようにした請求項２記載のガス器具監視装置。
【請求項１１】
時間帯設定手段は、少なくとも一般的な食事時間帯を含んで監視時間帯を設定するようにした請求項２記載のガス器具監視装置。
【請求項１２】
無線通信手段は、隣接するガスメータが内蔵する無線通信手段で受信が可能な通信形態で送信するようにした請求項１〜１１のいずれか１項記載のガス器具監視装置。
【請求項１３】
無線通信手段は、ガスメータに設けた警報装置を作動させ、隣接する家で生活情報信号が生成されたことを確認できるようにした請求項1〜１２のいずれか１項記載のガス器具監視装置。
【請求項１４】
流量計測手段として超音波を用いた請求項１〜１３のいずれか１項記載のガス器具監視装置。
【発明の詳細な説明】
【技術分野】
【０００１】
本発明は、ガスメータを経由した後のガス配管に接続される複数のガス器具を特定してガスの使用状況を個別に監視し、その監視データから生活情報を取り出す装置に関するものである。
【背景技術】
【０００２】
従来、この種の監視装置としては、各種エネルギーの使用状況を監視することで一人暮らしの老人や要介護者のプライバシーを侵害することなく日常的に老人や要介護者宅の異常の有無を検出するシステムが開発されている（例えば、特許文献１参照）。
【０００３】
この特許文献1のものは、契約者宅の電気、ガス、水道等の公共サービスの使用状態が個別の契約者宅毎に検出されてインターネットのようなネットワークを介して契約者宅の生活状況を確認するための生活状況確認業者が運営するサーバに送信され、送信された契約者宅の公共サービスの使用状態の変化に基づいて契約者宅の異常の有無を判定して異常の判定の際に警告を行うための老人・要介護者遠隔支援システムであり、契約者宅の公共サービスの標準的な使用データを設定し、この標準データと比較することで異常の有無を判定するようにしたものである。
【０００４】
また、個別の機器の使用データを用いて被監視者の安否を確認する方法として、冷蔵庫の開閉扉の開閉回数を確認して安否確認信号を出力するようにしたものがある。（例えば、特許文献２参照）。
【０００５】
さらには、ガスの消費量を計測するガスメータを利用したものがあり、ガスメータが消費者により燃料用ガスが消費されない未消費期間を計測すると共に、この未消費期間が予め設定された許容期間に達したか否かを判定し、その判定結果に基づいて警告情報を出力するようにしたものがある（例えば、特許文献３）。
【特許文献１】特開２００３−６３３７号公報
【特許文献２】特開２００３−１８５３１５号公報
【特許文献３】特開２００３−１５６３７５号公報
【発明の開示】
【発明が解決しようとする課題】
【０００６】
しかしながら、上記各特許文献に開示された監視装置は、生活情報の信号を取得するために別途専用の装置や手段を設ける必要があり、特に、特許文献１では、契約者宅の電気、ガス、水道等の公共サービスの使用データを取得する必要があるとともに、そのデータを常に監視するための専用の監視業者が必要となり、複雑なシステム構築が要求されるものであった。
【０００７】
また、特許文献2のものは、冷蔵庫の扉の開閉動作を検出して生活情報信号を生成するものであるため、通常の使用形態においては必要としない開閉動作検出装置を設ける必要が有り、さらに、その生活信号を通報するためのネットワークを別途構築する必要があった。
【０００８】
また、特許文献3のものは、ガスの消費状態より消費者の安否確認を行うものであり、ガスメータの計測データに変化がないとき異常と判断するものであるため、ガス器具が使用されている状態で具合が悪くなった場合等は検出ができないことになり確実性に問題を残すものであった。
【０００９】
さらに、異常発生時の通報手段として、監視センターあるいは特定の通報先に対して電話回線またはインターネットを接続して専用の通報ネットワークを構築する必要が有り、複雑なシステム構築が要求されるものであった。
【００１０】
本願発明は上記課題を解決するもので、携帯用端末を利用して安否情報を通報するものにおいて、ガス器具の使用可能条件として携帯端末装置の存在が確認された場合に制限することで、万一の場合の通報手段を確保するとともに、家庭内で使用するガス器具を自動判別し、その判別データに基づいて予め定めた時間帯別の器具使用データとして監視し、その監視データの複数の判定条件に基づいて生活情報信号を発生することで、誤報の確率を低減し精度よく生活情報信号を発生するものであり、さらに、その生活情報信号をガスメータに内蔵した無線通信手段と携帯端末装置により通報することで、専用のネットワークが構築されていない環境でも異常時の通報を可能とし、独り暮らしの老人や要介護者の安否情報を比較的簡単なシステムで迅速かつ正確に検出し、報知できるガス器具監視装置を提供するものである。
【課題を解決するための手段】
【００１１】
上記従来の課題を解決するため本発明のガス器具監視装置は、ガス流量を計測する流量計測手段と、ガス流路を遮断する遮断弁と、前記流量計測手段で計測される流量データを用いて各種機能を実行する制御手段を備え、前記制御手段で実行される機能の１つである積算データの自動検針機能を、ガスメータに内蔵した無線通信手段によってハンディターミナルとの通信により実行するようにした装置であって、無線通信手段には特定の携帯端末装置との間で通信が可能な機能を有し、無線通信手段からの送信される確認信号と携帯端末装置から返信される応答信号により通信が成立するか否かによって、ガスの供給動作を決定するようにしたものである。
【００１２】
また、その具体的一実施形態として、ガス流量を計測する流量計測手段と、ガス流路を遮断する遮断弁と、ガス器具の種類または使用形態を判別するための比較基準データとなる流量パターンを記憶する登録記憶手段と、監視時間帯を任意に設定する時間帯設定手段と、監視時間帯別に使用された器具情報に基づいて生活情報信号を生成するための条件を設定する時間帯別器具情報設定手段と、前記登録記憶手段の流量パターンと前記流量計測手段で計測されるガス流量値とを比較し使用ガス器具または使用形態を判断する器具判定手段と、監視時間帯別に使用状況を監視する器具別監視手段と、各種データの送受信を行う無線通信手段を備え、ガスメータを経由した後の配管に接続される複数のガス器具の種類または使用状況を個別に監視するとともに、無線通信手段により携帯端末装置との間で送受信が可能な装置であって、前記器具別監視手段は、流量計測手段からの信号で器具の使用が開始されたことを検知したとき、無線通信手段に対して携帯端末装置との通信開始を指示するとともに、携帯端末装置からの応答信号の有無を判定し、応答信号ありの場合、ガスの供給を継続して器具使用状況を監視し、応答信号なしの場合、所定の警告動作により器具の使用を制限するようにしたものである。
【００１３】
上記発明によれば、ガスメータで計測される流量データを用いて独り暮らしの老人や要介護者の安否情報を確認し、その安否情報を通報するの手段として携帯端末装置を利用する場合において、ガスメータに内蔵された無線通信手段からの通報信号が受信可能な範囲に携帯端末装置が存在するか否かを確認し、存在しない場合は、例えば遮断弁を閉止状態としてガスの供給ができないようにして、通報手段である携帯端末装置を近くに置いてからガス器具の使用を開始するように注意を促し、万一の場合の通報手段の確保を行うようにすることで、専用のネットワークが構築されていない環境でも異常時の通報を可能とし、独り暮らしの老人や要介護者の安否情報を比較的簡単なシステムで迅速かつ正確に検出し、報知できるものである。
【００１４】
また、具体的には、正確かつ迅速に報知することが必要な生活情報信号を、家庭内で使用するガス器具の種類または使用形態等の器具情報を予め設定した器具判別用の流量パターンと比較することで精度の高い器具判別が可能となり、この器具判別結果を予め定めた時間帯別に記憶して時間帯別器具使用データとし、この時間帯別器具使用データのうち、予め定めた複数の条件を満足したとき生活情報信号を生成するようにしているため、イレギュラーによる誤報を防止しつつ、確実な生活情報信号を生成することができるとともに、予め定めた時間帯毎の判定結果に基づいて判断するため、比較的早く異常の確認を行うことができ、かつガスメータが有する機能を利用して精度よく生活情報信号を生成することができるため、別途専用の装置を設ける必要がなく、構成の簡素化を図れるものであり、さらに、器具の使用が開始されたときに、ガスメータに内蔵された無線通信手段と生活情報信号の通報手段である携帯端末装置との間で通信を開始し、相互に確認し通信が成立した場合に器具の使用を可能としているため、器具使用中に具合が悪くなった場合等においても確実に異常時の通報機能を確保することができるものである。
【発明の効果】
【００１５】
本発明のガス器具監視装置によれば、ガスメータで計測される流量データを用いて独り暮らしの老人や要介護者の安否情報を確認し、その安否情報を通報するの手段として携帯端末装置を利用する場合において、ガスメータに内蔵された無線通信手段からの通報信号が受信可能な範囲に携帯端末装置が存在するか否かを確認し、存在しない場合は、例えば遮断弁を閉止状態としてガスの供給ができないようにして、通報手段である携帯端末装置を近くに置いてからガス器具の使用を開始するように注意を促し、万一の場合の通報手段の確保を行うようにすることで、専用のネットワークが構築されていない環境でも異常時の通報を可能とし、独り暮らしの老人や要介護者の安否情報を比較的簡単なシステムで迅速かつ正確に検出し、報知できるものである。
【発明を実施するための最良の形態】
【００１６】
第１の発明によるガス監視装置は、ガス流量を計測する流量計測手段と、ガス流路を遮断する遮断弁と、前記流量計測手段で計測される流量データを用いて各種機能を実行する制御手段を備え、前記制御手段で実行される機能の１つである積算データの自動検針機能を、ガスメータに内蔵した無線通信手段によってハンディターミナルとの通信により実行するようにした装置であって、無線通信手段には特定の携帯端末装置との間で通信が可能な機能を有し、無線通信手段からの送信される確認信号と携帯端末装置から返信される応答信号により通信が成立するか否かによって、ガスの供給動作を決定するようにしたことを特徴とするものである。
【００１７】
そして、ガスメータで計測される流量データを用いて独り暮らしの老人や要介護者の安否情報を確認し、その安否情報を通報するの手段として携帯端末装置を利用する場合において、ガスメータに内蔵された無線通信手段からの通報信号が受信可能な範囲に携帯端末装置が存在するか否かを確認し、存在しない場合は、例えば遮断弁を閉止状態としてガスの供給ができないようにして、通報手段である携帯端末装置を近くに置いてからガス器具の使用を開始するように注意を促し、万一の場合の通報手段の確保を行うようにすることで、専用のネットワークが構築されていない環境でも異常時の通報を可能とし、独り暮らしの老人や要介護者の安否情報を比較的簡単なシステムで迅速かつ正確に検出し、報知できる。
【００１８】
第２の発明は、ガス流量を計測する流量計測手段と、ガス流路を遮断する遮断弁と、ガス器具の種類または使用形態を判別するための比較基準データとなる流量パターンを記憶する登録記憶手段と、監視時間帯を任意に設定する時間帯設定手段と、監視時間帯別に使用された器具情報に基づいて生活情報信号を生成するための条件を設定する時間帯別器具
情報設定手段と、前記登録記憶手段の流量パターンと前記流量計測手段で計測されるガス流量値とを比較し使用ガス器具または使用形態を判断する器具判定手段と、監視時間帯別に使用状況を監視する器具別監視手段と、各種データの送受信を行う無線通信手段を備え、ガスメータを経由した後の配管に接続される複数のガス器具の種類または使用状況を個別に監視するとともに、無線通信手段により携帯端末装置との間で送受信が可能な装置であって、前記器具別監視手段は、流量計測手段からの信号で器具の使用が開始されたことを検知したとき、無線通信手段に対して携帯端末装置との通信開始を指示するとともに、携帯端末装置からの応答信号の有無を判定し、応答信号ありの場合、ガスの供給を継続して器具使用状況を監視し、応答信号なしの場合、所定の警告動作により器具の使用を制限するようにしたことを特徴とするものである。
【００１９】
そして、正確かつ迅速に報知することが必要な生活情報信号を、家庭内で使用するガス器具の種類または使用形態等の器具情報を予め設定した器具判別用の流量パターンと比較することで精度の高い器具判別が可能となり、この器具判別結果を予め定めた時間帯別に記憶して時間帯別器具使用データとし、この時間帯別器具使用データのうち、予め定めた複数の条件を満足したとき生活情報信号を生成するようにしているため、イレギュラーによる誤報を防止しつつ、確実な生活情報信号を生成することができるとともに、予め定めた時間帯毎の判定結果に基づいて判断するため、比較的早く異常の確認を行うことができ、かつガスメータが有する機能を利用して精度よく生活情報信号を生成することができるため、別途専用の装置を設ける必要がなく、構成の簡素化を図れるものであり、さらに、器具の使用が開始されたときに、ガスメータに内蔵された無線通信手段と生活情報信号の通報手段である携帯端末装置との間で通信を開始し、相互に確認し通信が成立した場合に器具の使用を可能としているため、器具使用中に具合が悪くなった場合等においても確実に異常時の通報機能を確保することができるものである。
【００２０】
第３の発明は、制御手段は、流量計測手段で計測される流量データに基づいて使用者の安否情報となる生活情報信号を生成する機能を有し、生活情報信号が生成されたとき無線通信手段からの報知信号を携帯端末装置により予め登録してあるアドレスに対して報知するようにしたことを特徴とするものである。
【００２１】
そして、ガスメータが有する機能を利用して生活情報信号を生成することができるため、別途専用の装置を設ける必要がなく、構成の簡素化を図れるとともに、専用のネットワークが構築されていない環境でも異常時の通報を可能とし、独り暮らしの老人や要介護者の安否情報を比較的簡単なシステムで迅速かつ正確に検出し、報知できる。
【００２２】
第４の発明は、器具別監視手段は、時間帯別の器具使用データより時間帯別器具情報設定手段で設定された複数の判定条件に基づいて生活情報信号が生成されたとき、無線通信手段に対して報知信号の送信を指示し、無線通信手段は、携帯端末装置に対して予め登録しているアドレスに報知信号の送信を指示するようにしたことを特徴とするものである。
【００２３】
そして、ガスメータが有する器具判定機能を利用して精度よく生活情報信号を生成することができるため、別途専用の装置を設ける必要がなく、構成の簡素化を図れるとともに、専用のネットワークが構築されていない環境でも異常時の通報を可能とし、独り暮らしの老人や要介護者の安否情報を比較的簡単なシステムで迅速かつ正確に検出し、予め登録してある近所の人や家族に対して報知できる。
【００２４】
第５の発明は、無線通信手段と携帯端末装置にはそれぞれ特有の認証コードを有するとともに、通信相手の認証コードを照合する認証手段を備え、照合結果に応じて遮断弁の動作を制御することを特徴とするものである。
【００２５】
そして、無線通信手段と携帯端末装置にそれぞれ認証コードを付与し、それぞれの認証コードを相互に照合し合って合致したとき、ガスの供給を可能としているため、住人が携帯端末装置を持って外出し留守にしている状態では器具の使用ができなくなるため、安全性が確保でき、かつ通報先が登録された携帯端末装置が近くにある状態で器具の使用が可能となるため、器具使用中に具合が悪くなった場合等においても確実に異常時の通報機能を確保することができるものである。
【００２６】
第６の発明は、無線通信手段と携帯端末装置の認証コードの照合結果が一致した場合、遮断弁の閉止状態を自動的に復帰可能としたことを特徴とするものである。
【００２７】
そして、携帯端末装置か無い状態で器具の使用を開始し遮断弁が閉止状態になった場合でも、携帯端末装置を持ってきて無線通信手段との間で照合作業を行い、照合結果が一致した場合は自動的に開状態に復帰するようにしているため、通報機能を確保した状態での器具使用を徹底することができ、独り暮らしの老人や要介護者の安否情報を確実に通報することができる。
【００２８】
第７の発明は、時間帯別器具情報設定手段で設定される複数の判定条件は、予め定めた時間帯のうち少なくとも２回以上の複数の時間帯別器具使用情報に基づいて生活情報信号を生成するようにしたことを特徴とするものである。
【００２９】
そして、時間帯別に記憶した器具判定データのうち、予め設定した２つ以上の時間帯のデータに基づいて生活情報信号を生成するようにしたもので、例えば、朝の６時から８時の時間帯と８時から１０時の時間帯で器具使用情報がないというデータの場合は、独り暮らし等で何らかの異常が発生していると判断して生活情報信号を生成し出力する。この判定方法によれば、２つの時間帯のデータにより生活情報信号の生成を判断するようにしているため、イレギュラーによる誤報を防止しつつ、確実な生活情報信号を生成することができる。また、朝の６時から８時の時間帯と８時から１０時の時間帯と１０時から１２時の時間帯で連続して器具使用情報があるというデータの場合も、独り暮らし等で煮物などを弱火で比較的長い時間をかけて行っているときに具合が悪くなってガスを止め忘れていると判断して生活情報信号を生成し出力する。この判定方法によれば、器具使用情報がある場合における異常事態を判断することが可能となり、確実な生活情報信号を生成することができる。このように、予め定めた２つ以上の時間帯の器具使用データの組み合わせであらゆる生活パターンを想定した場合の異常の有無を比較的迅速に判断することができる。
【００３０】
第８の発明は、時間帯別器具情報設定手段で設定される複数の判定条件は、器具判定手段で求められる器具情報のうち少なくとも２つ以上の器具情報に基づいて生活情報信号を生成するようにしたことを特徴とするものである。
【００３１】
そして、所定の時間帯において複数の器具が使用されていないという情報がある場合に異常と判断することで、イレギュラーによる誤報を防止しつつ、確実な生活情報信号を生成することができる。例えば、夕方の時間帯において、ガスコンロの使用情報はあるが、風呂用の給湯器の使用情報がない場合は異常と判断して生活情報信号を生成する。この判定方法によれば、器具が頻繁に使用されているか否かで判断するようにしているため、１つの器具が使用された後に具合が悪くなって生活パターンが変化したことを比較的迅速に確認することができる。
【００３２】
第９の発明は、時間帯別器具情報設定手段で設定される複数の判定条件は、器具判定手段で求められる器具情報のうち予め定めた器具情報が複数回発生するか否かによって生活情報信号を生成するようにしたことを特徴とするものである。
【００３３】
そして、所定の時間帯において予め定めた器具が複数回使用されていないという情報がある場合に異常と判断することで、イレギュラーによる誤報を防止しつつ、確実な生活情報信号を生成することができる。例えば、朝食と昼食を含むそれぞれの時間帯にガスコンロの使用が確認されない場合に異常と判断して生活情報信号を生成する。この判定方法によれば、特定の時間帯に必ず使用する器具の使用データが発生する否かを複数回の確認で判断するようにしているため、異常の確認の精度を高めることができる。
【００３４】
第１０の発明は、時間帯別器具情報設定手段で設定される複数の判定手段は、予め定めた時間帯において予め定めた器具情報が発生するか否かによって生活情報信号を生成するようにしたことを特徴とするものである。
【００３５】
そして、生活パターンの中において特定の器具が使用される時間帯を設定し、その特定器具が使用されたか否かによって判断することで、時間帯別器具使用情報の精度を高めることができ、確実な生活情報信号を生成することができる。
【００３６】
第１１の発明は、時間帯設定手段は、少なくとも一般的な食事時間帯を含んで監視時間帯を設定するようにしたことを特徴とするものである。
【００３７】
そして、食事の時間帯を含む監視時間帯は必ずガス器具の使用情報が発生するため、この時間帯を含むことで、時間帯別器具使用情報の精度を高めることができる。
【００３８】
第１２の発明は、無線通信手段は、隣接するガスメータが内蔵する無線通信手段で受信が可能な通信形態で送信するようにしたことを特徴とするものである。
【００３９】
そして、受信側アドレスを指定することなく受信可能範囲に存在するガスメータに内蔵された無線通信手段の全てが受信できるように送信することで、複数の家庭で近所に住む独り暮らしの老人や要介護者の安否確認を行うことができ、地域ぐるみのセーフティネットワークの構築に寄与できるものである。
【００４０】
第１３の発明は、無線通信手段は、ガスメータに設けた警報装置を作動させ、隣接する家で生活情報信号が生成されたことを確認できるようにしたことを特徴とするものである。
【００４１】
そして、近所に住む独り暮らしの老人や要介護者の家で異常が発生した場合等は、隣接する家のガスメータに設けた警報装置も作動するようにしているため、近所で発生した異常に対して迅速に対応することができ、地域ぐるみのセーフティネットワークの構築に寄与できるものである。
【００４２】
第１４の発明は、流量計測手段として超音波を用いたことを特徴とするものである。
【００４３】
そして、超音波を用いることで瞬時流量の計測を可能とし、より精度の高い器具判別を行うことができる。
【００４４】
以下、本発明の実施の形態について図面を用いて説明する。なお、本実施の形態によって本発明が限定されるものではない。
【００４５】
（実施の形態１）
図１は本発明の実施の形態１におけるガス器具監視装置の全体構成図である。
【００４６】
各家庭のガス供給管１の入口部分にガスメータ２が設置され、このガスメータ２を経由した後のガス配管３から分岐して家庭で使用する種々のガス器具が設置された場所まで配管されガスが供給される。例えば、屋外にはガス給湯器４が設置され、このガス給湯器４で生成される湯が水配管を介して台所の給湯栓５、浴槽やシャワー装置が設置された風呂６、リビング等に設置された床暖房７に供給され、種々の使用形態を形成している。
【００４７】
また、屋内にあっては、台所に設置されたガステーブル８、リビングや寝室等に設置されたガスファンヒータ９にガスが供給され、必要に応じて適宜使用される。
【００４８】
そして、設置されたガス器具が使用されガスの消費が発生するとガスメータ2でその使用量が計測され、そのデータが所定期間毎に累積記憶されている。このガスメータ2に記憶されたデータはガス事業者が定期的にハンディターミナル３０を用いて収集し、その収集データを会社に持ち帰って、データ管理システム３５に取り込んで需要家毎に料金が精算されるようになっている。また、これ以外のガス検針システムとしては、ガスメータと管理センターを電話回線により接続し、ガス事業者からデータ要求電文を送信することでガスメータに記憶されているデータを取り出すようにした自動検針システムがあり、この自動検針システムにおいてはガスの使用量を定期的に検針する機能以外に、ガスメータの異常情報をセンターに通報する機能やセンターからの各種情報を受信する機能を有しており、このような管理センターとガスメータの間で電話回線を用いたネットワークが構築されたものにあっては、独り暮らしの老人や要介護者の安否情報を電話回線によってセンター等に通報することができるものであり問題はないが、このようなネットワークが構築されていない、例えば前者のようなハンディターミナルを用いた個別の検針システムにあっては、異常が発生した場合に自動的に通報する手段がなく、独り暮らしの老人や要介護者の安否情報を自動的に通報できるシステムの構築が強く要望されていた。
【００４９】
そこで、本発明はこの個別の検針システムにおける独り暮らしの老人や要介護者の安否情報を自動的に通報できるシステムに着目し検討を行ったものであり、その一例を図面とともに提示する。
【００５０】
まず図１において、ガスメータ２には記憶された計測データ等をハンディターミナル３０に送信するための無線通信手段２５が内蔵され、通常の検針作業が行われるようになっている。さらに無線通信手段２５には特定の携帯端末装置３４との間で通信が可能な機能を有しており、ガス器具が使用されるとき、つまりガスメータ２の流量計測手段１２で流量の発生を検出したときに無線通信手段２５から所定の信号を発信し、携帯端末装置３４の存在確認作業を行うようにしている。この無線通信手段２５と携帯端末装置３４との信号のやり取りにおいては、それぞれに特有の認証コードを設定し、無線通信手段２５から発信された認証コードを携帯端末装置３４が受信し、携帯端末装置３４が保有するガスメータの認証コードとの照合結果が一致すると、携帯端末装置３４から認証コードを含む応答信号を送信し、この応答信号を受信した無線通信手段２５は受信した認証コードと保有する認証コードが一致するか否かを判定し一致する場合、万一の場合の通報手段となる携帯端末装置３４が近くにあると判断してガスの供給動作を継続するようにしている。
【００５１】
このとき、どちらかの認証作業において照合結果が一致しない場合は、無線通信手段２５と携帯端末装置３４との通信が不成立と判断し、警告動作を行う、あるいは遮断弁１５を閉止状態としてガスの供給を停止する。この一連の動作により通報手段の存在を明らかにした状態でガス器具の使用を喚起することが可能となり、ガスメータを利用したライフモニター動作において極めて有用なものとなる。
【００５２】
また、認証コードを付与した照合作業による認定は、通報先を予め登録した携帯端末装置３４を特定する上で重要な要素となる。
【００５３】
また、使用開始初期の認証作業において認証不可となった場合、例えば携帯端末装置３４が無い状態で器具の使用を開始し遮断弁１５が閉止状態になった場合でも、携帯端末装置３４を持ってきて無線通信手段２５との間で照合作業を行い、照合結果が一致した場合は自動的に開状態に復帰するようにしているため、通報機能を確保した状態での器具使用を徹底することができ、独り暮らしの老人や要介護者の安否情報を確実に通報することができるものである。
【００５４】
また、上記の如く携帯端末装置３４を用いた通報手段以外に、別の実施形態として図２に示すように、隣接するガスメータとの間で無線通信手段２５により相互にデータの送受信が可能な構成とし、特定の信号が生成された場合に隣接するガスメータに対して特定の信号が生成されたことを報知する報知信号を発信するとともに、他のガスメータからの報知信号を受信した場合は予め定めた警報動作を行う機能を有するようにしてもよい。この場合、特定の信号が生成されたときに発信する報知信号として、ハンディターミナル３０や管理センター３１からの要求信号と区別するために所定のコード番号を付与するようにし、さらには発信元を特定する符号等を付与するようにすれば、より精度の高い報知機能を確保することができる。
【００５５】
そして、ガスメータ２には、ガス流量を計測する流量計測部１２が設けられ、例えば図３に示すように、ガス流路に一対の超音波センサを配置し流路を流れる流量に応じて変化する伝播時間を計測することで流量を測定するものがある。以下、その構成を簡単に説明すると、超音波を送信または受信する第１送受信器１２Ａと受信または送信する第２送受信器１２Ｂが流れ方向に配置され、切換手段を有する計測制御部１３によって送受信の切換えが可能になっており、ガス等の流体の流れ状態を検出している。この第１送受信器１２Ａと第２送受信器１２Ｂの信号を処理して流量を計測するもので、具体的には、まず計測制御部１３により第１送受信器１２Ａを駆動し、第２送受信器１２Ｂに向け、すなわち上流から下流に超音波を送信する。そして第２送受信器１２Ｂで受信した信号を計測制御部１３に設けた増幅手段により増幅し、この増幅された信号は基準信号と比較され、基準信号以上の信号が検出された後、計測制御部１３に設けた繰り返し手段により上記の送受信を所定の回数を繰り返し、それぞれの時間値を計測制御部１３に設けたタイマカウンタのような計時手段で計測する。
【００５６】
次に、切換手段を有する計測制御部１３で第１送受信器１２Ａと第２送受信器１２Ｂの送受信を切換えて、第２送受信器１２Ｂから第１送受信器１２Ａ、すなわち下流から上流に向かって超音波信号を送信し、この送信を前述のように繰り返し、それぞれの時間値を計測する。そして、第１送受信器１２Ａと第２送受信器１２Ｂとの超音波の伝搬時間差から流路１１の大きさや流体の流れ状態を考慮して信号処理手段１４で流量値を求める。
【００５７】
このように、超音波を利用してガス流量を求めることで短い周期における流量変化を正確に検出することができるため、器具の種類や使用形態に伴う特有の流量パターンを検出することができ、家庭内に設置された複数のガス器具の種類やその使用形態を確実に検出することができるという特徴を有している。そして、この器具判別機能を利用することで、種々のサービスを提供することができるものであり、その一例として、家庭内で使用するガス器具を自動判別し、その判別データに基づいて予め定めた時間帯別の器具使用データとして監視し、その監視データの複数の判定条件に基づいて生活情報信号を発生することで、独り暮らしの老人や要介護者の安否情報として誤報の確率を低減し精度よく生活情報信号を生成するとともに、その生活情報信号を上記した携帯端末装置３４を用いて予め登録してある通報先に報知することができ、さらにはガスメータ２に内蔵する無線通信手段２５より隣接するガスメータ２Ａ、２Ｂ、２Ｃ、２Ｄに対して発信し、この報知信号２５a〜２５dを受信できる範囲に存在するガスメータ２Ａ、２Ｃが報知信号２５a、２５cを
受信することで近所のガスメータ２で生活情報信号が生成されたことを報知することができるものである。このとき報知信号２５b、２６dは距離が遠い等の理由で受信できない。
【００５８】
また、流量計測手段１２が配置された流路１１内には異常時等にガスの流れを遮断する遮断弁１５が設けられている。
【００５９】
次に、ガスメータ2の器具判別機能の一例について説明する。
【００６０】
ガスメータ2内には、使用者から申請される家庭内で使用するガス器具の器具情報に対応した流量パターンを入力し記憶する登録記憶手段１６が設けられている。そして、想定されるガス器具の種類または使用形態に応じたガス流量の特徴的な流量パターンをコード番号と対応させて記憶した記憶手段３１が設けられ、使用者から申請される家庭内で使用するガス器具の器具情報に対応したコード番号をキーボードまたは外部入力装置などから情報入力手段３２に入力することで、記憶手段３１に記憶されている流量パターンを登録記憶手段１６に取り出し登録データとして記憶する。
【００６１】
また、登録記憶手段１６を図４に示すように、書き換え自在なメモリーカード２２で構成し、家庭内で使用するガス器具の情報を予め書き込んでおき、ガスメータ２に設けられたカード収納部２３に着脱自在に収納するようにしてもよい。
【００６２】
そして、情報入力手段３２から器具情報が入力されるか、メモリーカード２２等で構成される登録記憶手段１６がガスメータ２に挿着されると、その登録記憶手段１６に記憶された器具情報に基づいて、使用するガス器具の種類を特定する器具信号を設定し登録する器具信号登録手段１７と、使用するガス器具の用途別に使用形態を特定する用途別信号登録手段１８と、監視する時間帯を設定する時間帯設定手段３３で設定された時間帯及び器具信号登録手段１７及び用途別信号登録手段１８の登録情報を組み合わせて複数の条件を設定する時間帯別器具情報設定手段１９とを有する器具特定手段２０が設けられている。
【００６３】
そして、時間帯別器具情報設定手段１９で組み合わせる複数の条件は個々の家庭における生活パターンに基づいて使用するガス器具の特徴的な使い方に応じて任意に設定できるようにし、この複数の条件の設定指示は情報入力手段３２を介して行うことができるようにする。また、登録記憶手段１６をメモリーカード２２で構成したものにあっては、図５に示すように時間帯別器具情報設定手段１９を含む器具特定手段２０をメモリーカード２２に一体的に組み込んでもよいものである。これにより、独り暮らしの老人や要介護者の安否情報としての生活情報信号の生成条件を家庭内で使用するガス器具の情報とあわせて一括で管理することができ、利便性の向上が図れるものである。
【００６４】
ここで、器具信号登録手段１７は、例えば下表（表１）のように、器具の種類に応じて信号を設定登録する。
【００６５】
【表１】
2008027111.tif 000003
【００６６】
また、用途別信号登録手段１８は、例えば下表（表２）のように、器具の用途別に使用形態を特定する信号を設定登録する。
【００６７】
【表２】
2008027111.tif 000004
【００６８】
また、時間帯別器具情報設定手段１９は、時間帯設定手段３３で設定された時間帯別に使用された器具情報に基づいて生活情報信号を生成するための条件を予め設定したもので、例えば下表（表３）のように、あらゆる生活パターンを想定して生活情報信号の生成条件を複数用意する。
【００６９】
【表３】
2008027111.tif 000005
【００７０】
そして、信号処理手段１４で求められる流量値と登録記憶手段１６の登録データ（流量パターン）を比較して使用している器具を判断する器具判定手段２４が設けられており、さらに器具判定手段２４で判断したガス器具の使用状況に応じてガス使用量を監視する器具別監視手段２１を有している。この器具別監視手段２１は、流量計測部１２の信号処理手段１４で求められるガス流量値を入力し、器具判定手段２４で判断されたガス器具の登録情報と共に管理され、ガス事業者からの要求に基づいて所定期間毎の累積流量値等の情報を出力するとともに、時間帯別器具情報設定手段１９で定められた生活情報信号生成条件に基づいて時間帯別に記憶されている器具情報から生活情報信号の生成が必要か否かを判断し、（表３）で設定した生成条件を１つでも満足する器具情報が発生した場合は即座に生活情報信号を生成し無線通信手段２５を介して外部に報知するようにしたものである。
【００７１】
その報知形態の一例として、上述した如く、認証確認を行うことで予め登録している通報先への自動報知を可能とした携帯端末装置３４を利用した報知経路と、ガスメータ２に内蔵する無線通信手段２５より隣接するガスメータ２Ａ〜２Ｄに対して管理センター３５またはハンディターミナル３０からの要求信号と区別するためのコード番号や発信元を特定する符号等を付与した報知信号25a〜25dを発信する報知経路とを有した構成としている。
【００７２】
このように、生活情報信号が生成された場合、異常事態を報知する信号を予め認定した特定の携帯端末装置３４を用いて予め登録してある通報先に通報するとともに、隣接するガスメータ２Ａ〜２Ｄに対して同様の報知信号を無線通信手段２５により送信するようにしているため、近所で発生した異常を迅速に確認し合うことができ、独り暮らしの老人や要介護者の安否確認を地域ぐるみで行うことができ、安心な地域社会づくりに大きく貢献することができるものであり、その報知形態として受信側アドレスを指定することなく受信可能範囲に存在するガスメータに内蔵された無線通信手段２５の全てが受信できるよう
に送信し、その報知信号を受信した無線通信手段２５は内蔵する警報装置２７で所定の警報動作をすることで、複数の家庭で近所に住む独り暮らしの老人や要介護者の安否確認を行うことができ、地域ぐるみのセーフティネットワークの構築に寄与できるものである。
【００７３】
ここで、上記器具判定手段２４で行う器具判別について概略を説明すると、登録記憶手段１６に記憶する登録データとして、例えば図６に示すような流量パターンを用いる。実際の登録データとしては、器具スタート時から例えば０．２秒毎の流量値のデータを所定時間分記憶したものである。なお、データの時間間隔としては０．２秒に限定する必要はなく、要求される器具判別能力により任意に設定できるものである。
【００７４】
流量計測部１２では一定間隔毎にガス流量を計測し、新たに計測されたガス流量値が直前の値から所定値以上増加すると、新たな器具が使用されたと判断し、その流量変化と登録記憶手段１６に登録された器具のコードに対応する流量パターンと比較を行い、使用されている器具の判別を行う。
【００７５】
また、流量計測部１２から異常流量等の信号が入力された場合は、遮断弁１５を介して流路１１を遮断することで安全性を確保する。
【００７６】
なお、本実施の形態では器具特定手段２０の生活情報信号の生成条件として４つの条件を示したが、これに限定されるものではなく、また、その組み合わせも独り暮らしの老人あるいは要介護者の安否情報が正確に確認できるものであればどのような組み合わせでもよいものである。
【００７７】
また、登録記憶手段１６を着脱自在なカード式挿着構成としたものにあっては、ガス事業者の意に反して交換されたり、いたずらにより無理やり取り外されたりする場合が想定され、キーボードなどで入力する情報入力手段３２で構成したものにあってもガス事業者以外のものに操作される恐れがあり、このような行為を防止するために本実施の形態では、ガスメータ２の前面側に設けたフタ２８が取り外されたことを検知する開閉検知手段２９を設けると共に、ガスメータ２内に設けた無線通信手段２５を利用して、ガス事業者が携帯するワイヤレスキー１０からなる認証コード送信手段より予め設定した認証コードを送信し、この認証コードを無線通信手段２５が受信し、ガスメータ２が内蔵する認証コード確認手段２６が受信した認証コードが正常であると判断した場合、開閉検知手段２９の検知信号を無効としてメモリーカード２２の交換や情報入力手段３２による変更処理を可能とし、認証コードが異常である、または認証コードの受信がない状態でフタ２８が取り外された場合は、警報手段２７を介してメモリーカード２２の交換、取り外し、情報入力手段３２による変更処理ができないことを警告報知したり、遮断弁１５を作動状態として流路１１を遮断状態しガスメータ２の使用を禁止する。以上の認証フローによりガス事業者または認定業者のみが登録記憶手段１６の交換、取り外し、情報入力手段３２による変更処理を可能とし、ガス事業者の意に反する交換やいたずらによる交換を防止するようにしている。
【００７８】
以上のように構成されたガス器具監視装置において、まず使用者がガス事業者に対して家庭内で使用するガス器具の種類または使用形態を申請し、ガス事業者はこの器具情報を基にガス流量値から使用する器具を判別するための流量パターンを入力し記憶した器具登録手段１６を作成するとともに、使用者の生活パターンに応じて生活情報信号を生成するための条件設定を行い時間帯別器具情報設定手段１９に登録する。以降、この器具登録手段１６の登録データと流量計測部１２で求められる流量値を比較して、計測データが管理され、ガス事業者等からの要求があった場合、ガス器具の登録情報に対応した流量データを出力し、無線通信手段２５を介して要求情報を送信するとともに、時間帯別器具情報設定手段１９で登録された生成条件を満足する器具情報が発生するか否かを監視し、生活情
報信号が生成された場合は、異常事態を報知する信号を予め認定した特定の携帯端末装置３４を用いて予め登録してある通報先に通報するとともに、隣接するガスメータ２Ａ〜２Ｄに対して同様の報知信号を無線通信手段２５により送信する。
【００７９】
以上のように本発明のガス監視装置は、ガスメータで計測される流量データを用いて独り暮らしの老人や要介護者の安否情報を確認し、その安否情報を通報するの手段として携帯端末装置３４を利用する場合において、ガスメータに内蔵された無線通信手段２５からの通報信号が受信可能な範囲に携帯端末装置３４が存在するか否かを確認し、存在しない場合は、例えば遮断弁を閉止状態としてガスの供給ができないようにして、通報手段である携帯端末装置３４を近くに置いてからガス器具の使用を開始するように注意を促し、万一の場合の通報手段の確保を行うようにすることで、専用のネットワークが構築されていない環境でも異常時の通報を可能とし、独り暮らしの老人や要介護者の安否情報を比較的簡単なシステムで迅速かつ正確に検出し、報知できるようにしたものである。
【００８０】
また、正確かつ迅速に報知することが必要な生活情報信号を、家庭内で使用するガス器具の種類または使用形態等の器具情報を予め設定した器具判別用の流量パターンと比較することで精度の高い器具判別が可能となり、この器具判別結果を予め定めた時間帯別に記憶して時間帯別器具使用データとし、この時間帯別器具使用データのうち、予め定めた複数の条件を満足したとき生活情報信号を生成するようにしているため、イレギュラーによる誤報を防止しつつ、確実な生活情報信号を生成することができるとともに、予め定めた時間帯毎の判定結果に基づいて判断するため、比較的早く異常の確認を行うことができ、かつガスメータ２が有する機能を利用して精度よく生活情報信号を生成することができるため、別途専用の装置を設ける必要がなく、構成の簡素化を図れるものであり、さらに、器具の使用が開始されたときに、ガスメータに内蔵された無線通信手段２５と生活情報信号の通報手段である携帯端末装置３４との間で通信を開始し、相互に確認し通信が成立した場合に器具の使用を可能としているため、器具使用中に具合が悪くなった場合等においても確実に異常時の通報機能を確保することができるものである。
【００８１】
また、無線通信手段２５と携帯端末装置３４にそれぞれ認証コードを付与し、それぞれの認証コードを相互に照合し合って合致したとき、ガスの供給を可能としているため、住人が携帯端末装置３４を持って外出し留守にしている状態では器具の使用ができなくなるため、安全性が確保でき、かつ通報先が登録された携帯端末装置３４が近くにある状態で器具の使用が可能となるため、器具使用中に具合が悪くなった場合等においても確実に異常時の通報機能を確保することができるものである。
【００８２】
また、携帯端末装置３４が無い状態で器具の使用を開始し遮断弁１５が閉止状態になった場合でも、携帯端末装置３４を持ってきて無線通信手段２５との間で照合作業を行い、照合結果が一致した場合は自動的に開状態に復帰するようにしているため、通報機能を確保した状態での器具使用を徹底することができ、独り暮らしの老人や要介護者の安否情報を確実に通報することができる。
【００８３】
また、時間帯別器具情報設定手段１９で設定される複数の判定条件は、予め定めた時間帯のうち少なくとも２回以上の複数の時間帯別器具使用情報に基づいて生活情報信号を生成するようにし、時間帯別に記憶した器具判定データのうち、予め設定した２つ以上の時間帯のデータに基づいて生活情報信号を生成するようにしたもので、例えば、朝の６時から８時の時間帯と８時から１０時の時間帯で器具使用情報がないというデータの場合は、独り暮らし等で何らかの異常が発生していると判断して生活情報信号を生成し出力する。この判定方法によれば、２つの時間帯のデータにより生活情報信号の生成を判断するようにしているため、イレギュラーによる誤報を防止しつつ、確実な生活情報信号を生成することができる。また、朝の６時から８時の時間帯と８時から１０時の時間帯と１０時から
１２時の時間帯で連続して器具使用情報があるというデータの場合も、独り暮らし等で煮物などを弱火で比較的長い時間をかけて行っているときに具合が悪くなってガスを止め忘れていると判断して生活情報信号を生成し出力する。この判定方法によれば、器具使用情報がある場合における異常事態を判断することが可能となり、確実な生活情報信号を生成することができる。このように、予め定めた２つ以上の時間帯の器具使用データの組み合わせであらゆる生活パターンを想定した場合の異常の有無を比較的迅速に判断することができる。
【００８４】
また、時間帯別器具情報設定手段１９で設定される複数の判定条件は、器具判定手段２４で求められる器具情報のうち少なくとも２つ以上の器具情報に基づいて生活情報信号を生成するようにし、所定の時間帯において複数の器具が使用されていないという情報がある場合に異常と判断することで、イレギュラーによる誤報を防止しつつ、確実な生活情報信号を生成することができる。例えば、夕方の時間帯において、ガスコンロの使用情報はあるが、風呂用の給湯器の使用情報がない場合は異常と判断して生活情報信号を生成する。この判定方法によれば、器具が頻繁に使用されているか否かで判断するようにしているため、１つの器具が使用された後に具合が悪くなって生活パターンが変化したことを比較的迅速に確認することができる。
【００８５】
また、時間帯別器具情報設定手段１９で設定される複数の判定条件は、器具判定手段２４で求められる器具情報のうち予め定めた器具情報が複数回発生するか否かによって生活情報信号を生成するようにし、所定の時間帯において予め定めた器具が複数回使用されていないという情報がある場合に異常と判断することで、イレギュラーによる誤報を防止しつつ、確実な生活情報信号を生成することができる。例えば、朝食と昼食を含むそれぞれの時間帯にガスコンロの使用が確認されない場合に異常と判断して生活情報信号を生成する。この判定方法によれば、特定の時間帯に必ず使用する器具の使用データが発生する否かを複数回の確認で判断するようにしているため、異常の確認の精度を高めることができる。
【００８６】
また、時間帯別器具情報設定手段１９で設定される複数の判定条件は、予め定めた時間帯において予め定めた器具情報が発生するか否かによって生活情報信号を生成するようにし、生活パターンの中において特定の器具が使用される時間帯を設定し、その特定器具が使用されたか否かによって判断することで、時間帯別器具使用情報の精度を高めることができ、確実な生活情報信号を生成することができる。
【００８７】
また、食事の時間帯を含む監視時間帯は必ずガス器具の使用情報が発生するため、この時間帯を含むことで、時間帯別器具使用情報の精度を高めることができる。
【００８８】
また、異常事態を報知する信号としてガス監視センター３１等に通報するとともに、隣接するガスメータに対して同様の報知信号を無線通信手段２５により送信するようにしているため、近所で発生した異常を迅速に確認し合うことができ、独り暮らしの老人や要介護者の安否確認を地域ぐるみで行うことができ、安心な地域社会づくりに大きく貢献することができる。
【００８９】
また、受信側アドレスを指定することなく受信可能範囲に存在するガスメータ２に内蔵された無線通信手段２５の全てが受信できるように送信することで、複数の家庭で近所に住む独り暮らしの老人や要介護者の安否確認を行うことができ、地域ぐるみのセーフティネットワークの構築に寄与できるものである。
【００９０】
さらに、近所に住む独り暮らしの老人や要介護者の家で異常が発生した場合等は、隣接する家のガスメータあるいは中継器に設けた警報装置２７も作動するようにしているため
、近所で発生した異常に対して迅速に対応することができ、地域ぐるみのセーフティネットワークの構築に寄与できるものである。
【００９１】
そして、超音波を用いることで瞬時流量の計測を可能とし、より精度の高い器具判別を行うことができる。
【産業上の利用可能性】
【００９２】
本発明は、家庭内で使用するガス器具の種類、使用形態を特定し流量データと共に管理する監視装置に限らず、オフィスや店舗で使用する複数の器具に対して種類、使用形態を特定し、電力使用量、水道使用量と共に管理する装置等にも適用できる。
【図面の簡単な説明】
【００９３】
【図１】本発明の実施の形態１におけるガス監視装置の全体構成図
【図２】同ガス監視装置における隣接するガスメータとの関係を示す図
【図３】同ガス監視装置におけるガスメータ側の制御ブロック図
【図４】同ガス監視装置における器具登録手段の収納形態を示す図
【図５】同ガス監視装置におけるガスメータ側の別の制御ブロック図
【図６】同ガス監視装置における流量パターンの一例を示す図
【符号の説明】
【００９４】
２  ガスメータ
３  ガス配管
１２  流量計測部
１６  登録記憶手段
１９  時間帯別器具情報設定手段
２０  器具特定手段
２１  器具別監視手段
２４  器具判定手段
２５  無線通信手段
３０  ハンディターミナル
３３  時間帯設定手段
３４  携帯端末装置
３５  管理センター
【図３】
2008027111.tif 000006
【図５】
2008027111.tif 000007
【図６】
2008027111.tif 000008
【図１】
2008027111.tif 000009
【図２】
2008027111.tif 000010
【図４】
2008027111.tif 000011